(57)【要約】【課題】紙切り板のロール紙面に対する弾圧力を最終ユーザが使用時に変更可能とすることで、多種多様なロール紙に適応したロール紙弾圧力をユーザが手軽に設定変更できるようにすること。【解決手段】平面ほぼコ字状のロール紙ホルダ１に起伏可能に後部を枢支した紙切り板６を所定開き角度を境界角として起伏二方向に付勢可能となし、前記紙切り板６と連動する回動片７の近くにおける前記ホルダ１の側板２に使用位置を可変設定できる回動操作レバー８を枢支し、このレバー８と前記回動片７との間に弾撥ばね９をその固有弾撥力に抗して介在させ、この弾撥ばね９の固有弾撥力を前記回動操作レバー８により変化させることで、ロール紙４に対する紙切り板６の弾圧力を使用ロール紙の種類に適応して可変設定可能となした。【選択図】      図１
2004305301.tif 000002
【特許請求の範囲】
【請求項１】
平面ほぼコ字状のロール紙ホルダに起伏可能に後部を枢支した紙切り板を所定開き角度を境界角として起伏二方向に付勢できるロール紙ホルダにおいて、前記紙切り板と連動する回動片の近くにおける前記ホルダの側板に使用位置を可変設定できる回動操作レバーを枢支して備え、このレバーと前記回動片との間に弾撥ばねをその弾撥力に抗して介在させ、このばねの弾撥力を前記回動操作レバーにより可変設定可能となしたロール紙ホルダ。
【請求項２】
平面ほぼコ字状のロール紙ホルダに回転枢軸で起伏可能に後部を枢支した紙切り板を所定開き角度を境界角として起伏二方向に付勢可能となしたロール紙ホルダにおいて、前記回転枢軸に紙切り板と連動する回動片を突設し、この回動片の近くにおける前記側板に使用位置を可変設定できる回動操作レバーを枢支して備え、このレバーと前記回動片との間に弾撥ばねをその固有弾撥力に抗して介在させ、この弾撥ばねの固有弾撥力を前記回動操作レバーにより変化させることで、ロール紙に対する紙切り板の弾圧力を使用ロール紙の種類に適応して可変設定可能となしたロール紙ホルダ。
【請求項３】
平面ほぼコ字状のロール紙ホルダ１における側板２に突設したロール紙空心受け３にロール紙４をその空心４Ａで回転可能に支持し、前記ホルダ１の後部に回転枢軸５で起伏可能に後部を枢支した紙切り板６を所定開き角度を境界角として起伏二方向に弾撥ばねで付勢することで、紙切り板６の上開き状態とロール紙弾圧状態とを選択的に維持可能となし、かつ、前記紙切り板６の前辺下面６Ａを経て前方へ繰り出したロール紙４の繰り出し部４Ｂを前記紙切り板６の前辺刃先６Ｂでカット可能となしたロール紙ホルダにおいて、前記回転枢軸５に紙切り板６と連動する回動片７を突設し、この回動片７の近くにおける前記側板２に使用位置を可変設定できる回動操作レバー８を枢支し、このレバー８と前記回動片７との間に弾撥ばね９をその固有弾撥力に抗して介在させ、この弾撥ばね９の固有弾撥力を前記回動操作レバー８の使用位置に対応させて可変設定可能とすることで、ロール紙４に対する紙切り板６の弾圧力を使用ロール紙の種類に適応して可変設定可能となしたロール紙ホルダ。
【請求項４】
前記側板２の外面に側面がほぼＴ字状で使用位置を可変設定できる回動操作レバー８をその下部における枢支部８ａで枢支して備え、このレバーの後片８Ａに突設したばね止めピン８Ｂと前記回動片７に突設したばね止めピン７Ｂとの間に、ばね材をほぼΩ字状やＣ字状に弯曲形成した弾撥ばね９をその固有弾撥力に抗して介在させ、この弾撥ばね９の固有弾撥力を前記回動操作レバー８の使用位置に対応させて可変設定可能なした請求項１から請求項３までのいずれか一つの請求項に記載のロール紙ホルダ。
【請求項５】
前記回動操作レバー８の使用位置を可変設定するための機構として、前記回動操作レバー８に前後複数の係止部（係止孔または係止突起）８Ｄを形成し、そのいずれか一つを前記側板２に形成した係止部（係止突起または係止孔）２Ｂに選択的に係合させることで、前記回動操作レバー８の使用位置を可変設定可能となした請求項１から請求項４までのいずれか一つの請求項に記載のロール紙ホルダ。
【請求項６】
前記回動操作レバー８の使用位置を可変設定するための機構として、前記回動操作レバー８における前後複数の係止部（係止孔または係止突起）８Ｄの下部に形成した可撓部８Ｅからレバー８の上部を撓ませて前記各係止部（係止突起または係止孔）８Ｄのいずれか一つを側板２に形成した係止部２Ｂに選択的に係合させることで、前記回動操作レバー８の使用位置を可変設定可能となした請求項５に記載のロール紙ホルダ。
【請求項７】
前記回動操作レバー８の使用位置を可変設定するための機構として、回動操作レバー８に形成した係止部（係止孔または係止突起）８Ｄを前記側板２に形成した前後複数の係止部（係止突起または係止孔）２Ｂのいずれか一つに選択的に係合させることで、前記回動操作レバー８の使用位置を可変設定可能となした請求項１から請求項４までのいずれか一つの請求項に記載のロール紙ホルダ。
【請求項８】
前記回動操作レバー８の使用位置を可変設定するための機構として、回動操作レバー８における係止部（係止孔または係止突起）８Ｄの下部に形成した可撓部８Ｅからレバー８の上部を撓ませてその係止部（係止孔または係止突起）８Ｄを側板２に形成した前後複数の係止部（係止突起または係止孔）２Ｂのいずれか一つに選択的に係合させて前記回動操作レバー８の使用位置を可変設定可能となした請求項７に記載のロール紙ホルダ。
【発明の詳細な説明】
【０００１】
【発明の属する技術分野】
この発明は、トイレットペーパなどのロール紙やアルミホイールまたはラップフイルム、不織布等、ロール紙に近似したロール巻シート状物を保持するロール紙ホルダの改良に関する。
【０００２】
【従来の技術】
この種のロール紙ホルダとしては、従来、例えば本出願人が先に考案した実用新案登録第３０６３１０３号公報記載のものが有る。
この従来の技術は、平面ほぼコ字状のロール紙ホルダにおける左右の側板の内面に突設したロール紙空心受けにロール紙をその空心で回転可能に支持し、このロール紙の上部前寄り外周面に前記ホルダの後部左右の枢支部で起伏可能に後部を枢支した紙切り板の前辺下面を圧接し、この前辺下面を経て前方へ繰り出したロール紙の繰り出し部を前記紙切り板の前辺刃先でカット可能となしたロール紙ホルダであって、前記紙切り板の枢支部から延びる紙切り板回動片のピンとホルダ側板の下部における固定ピンとの間に、板ばねをほぼΩ字状に弯曲形成した弾撥ばねをその固有弾撥力に抗して介在させ、前記紙切り板の開き角度がロール紙上方約４５度付近を境界角として、紙切り板を起伏二方向に前記弾撥ばねの固有弾撥力で付勢して紙切り板の上開き状態とロール紙弾圧状態とを選択的に維持できるとしたロール紙ホルダである。
【０００３】
【発明が解決しようとする課題】
この従来の技術における紙切り板は、その開き角度がロール紙上方約４５度付近を境界角として、紙切り板を前記起伏二方向に前記弾撥ばねの固有弾撥力で付勢して紙切り板の上開き状態とロール紙弾圧状態とを選択的に維持可能となしたので、片手操作でロール紙の繰り出しと所望長カットおよびロール紙のホルダ内補充ができ、前記弾撥ばねは、ほぼΩ字状のため局部疲労によるばねの『ヘタリ』が生じづらく、その固有弾撥力は長期に亘り安定で、ロール紙紙切り板を起伏二方向に多数回確実に付勢できるとしたものである。
【０００４】
ところが、この従来例の前記弾撥ばねは、前記紙切り板枢支部から延びる紙切り板回動片のピンとホルダ側板の下部に突設した不動のピンとの間に介在してあり、ばねの一端は不動であるから、弾撥ばねのすぼまり寸法すなわち、ばねの固有弾撥力を後から人為的に変えることができず、ロール紙ホルダの製造時にメーカ側で初期設定した不変のロール紙弾圧力のままで最終ユーザがロール紙ホルダを使用する結果となるので、ロール紙の紙質やロール紙厚とか二枚合わせのロール紙など最終ユーザ好みの多種多様なロール紙に適応したロール紙弾圧力を最終ユーザが使用時得ることができないという本質的かつ、大きな問題点が有る。
【０００５】
したがって、例えば二枚合わせのロール紙用として、メーカがロール紙弾圧力を強めに初期設定したロール紙ホルダに、ユーザが一枚ものロール紙をセットして使った場合、前記ロール紙弾圧力が強過ぎるため、繰り出し途中のロール紙が千切れてしまい使い物にならないし、この逆に一枚ものロール紙用にメーカが初期設定したロール紙弾圧力が弱めのロール紙ホルダに、二枚合わせのロール紙をセットして使った場合、ロール紙の繰り出し部を前記紙切り板の前辺刃先でカットしようとすると、紙切り板のロール紙に対する前記弾圧力が弱過ぎるため、紙切り板がロール紙切断応力で浮き上がってカットすることができず、これまた使い物にならないという本質的かつ、大きな問題点が有る。
【０００６】
この発明の目的は、紙切り板のロール紙面に対する弾圧力を最終ユーザが使用時に変更可能とすることで、多種多様なロール紙に適応したロール紙弾圧力をユーザが手軽に設定変更できるようにすることを目的とする。
【０００７】
【課題を解決するための手段】
上記したこの発明の目的は、平面ほぼコ字状のロール紙ホルダにおける側板に突設したロール紙空心受けにロール紙を回転可能に支持し、前記ホルダに起伏可能に後部を枢支した紙切り板を所定開き角度を境界角として起伏二方向に付勢することで、紙切り板の上開き状態とロール紙弾圧状態とを選択的に維持可能となし、かつ前記紙切り板の前辺下面を経て前方へ繰り出したロール紙の繰り出し部を前記紙切り板の前辺刃先でカット可能となしたロール紙ホルダを作るに当たり、前記紙切り板と連動する回動片の近くにおける前記側板に使用位置を可変設定できる回動操作レバーを枢支し、このレバーと前記回動片との間に弾撥ばねをその固有弾撥力に抗して介在させ、このばねの弾撥力を前記回動操作レバーの使用位置に対応させて可変設定可能とすることで、ロール紙に対する紙切り板の弾圧力を使用ロール紙の種類に適応して可変設定可能となしたことで達成できた。
【０００８】
【発明の実施の形態】
本発明の実施の形態例について図面を参照して説明する。
先ず、この発明の基本形態は、図１に示すようにプラスチックなどで平面ほぼコ字形に成形したロール紙ホルダ１における左右の側板２の内面に自己突出のロール紙空心受け３を周知手段で対向突設し、この空心受け３にロール紙４をその空心４Ａで図２のように回転可能に支持し、前記ホルダ１の後部左右のヒンジ孔２Ａに回転枢軸５を通して起伏可能に後部を図１および図２のように枢支した紙切り板６の前辺下面６Ａを前記ロール紙４の上部前寄り外周面に図３のように圧接し、この前辺下面６Ａを経て前方へ繰り出したロール紙４の繰り出し部４Ｂを前記紙切り板６の前辺刃先６Ｂでカット可能となしたロール紙ホルダを作るに当たり、前記回転枢軸５に紙切り板６と共に動く図４のような回動片７をその基部７Ａで凹凸係合などの固定手段により図１および図２のように突設する。
【０００９】
次いで、この回動片７の近くにおける前記側板２の外面に、図４のような側面がほぼＴ字状の回動操作レバー８をその下部における枢支部８ａで前後回動可能に図１のように枢支して備え、このレバーの後片８Ａに突設したばね止めピン８Ｂと前記紙切り板６と共に動く回動片７に突設したばね止めピン７Ｂとの間に、ばね線材やばね帯板を図４のようにほぼΩ字状やＣ字状に弯曲形成した弾撥ばね９をその固有弾撥力に抗してすぼめつつ図１のようにすぼめた状態で介在させ、前記紙切り板６の開き角度が図３のようなロール紙上方における所定開き角度、例えば約３０〜５０度付近を境界角として紙切り板６を図２および図３のように起伏二方向に一つの弾撥ばね９の固有弾撥力で付勢し、上記各図のように紙切り板６の上開き状態とロール紙弾圧状態とを選択的に維持できるようにする。
【００１０】
そして，前記側板２の上孔２ａを経た回動操作レバー８の操作部３Ｃの下部には、その前後方向に数個の小孔を形成した複数の係止部８Ｄを図４のように形成すると共に、レバー８の中間には外向き弯曲した可撓部８Ｅを形成し、この可撓部８Ｅから回動操作レバー８の上部を素材の固有弾力に抗し図５のように外側に撓ませて前記複数の係止部８Ｄのいずれか一つを側板２の内面に図４のように形成した突起などの係止部２Ｂに図２、図５から図７までの各図のように選択的に係合させることで、前記回動操作レバー８の使用位置を所定範囲だけ変化させ、この変化したレバー８の使用位置を上記各係止部２Ｂ・８Ｄで係止できるようにすることで、この使用位置に対応させて弾撥ばね９のすぼまり寸法、すなわち弾撥ばね９の固有弾撥力を変化させ、ロール紙４に対する紙切り板６の弾圧力を使用ロール紙の種類に適応して上記各図のようにレバー８の回動操作により随時可変設定できるようにした本発明によるロール紙ホルダの基本形態を構成する。
【００１１】
以下、本発明によるロール紙ホルダにおける要部の詳細形態を説明する。
先ず、前記弾撥ばね９の実装例としては、Ω字状やＣ字状の弾撥ばね９の両端を図４のように丸めて作った二つの枢支部９Ａをそれぞれ同図のように弾撥ばね９の開き弾撥力に抗し押しすぼめつつ前記各ばね止めピン７Ｂ・８Ｂの先細部分に図１のように遊嵌して取付けた後、これら各ピンの先端部を加熱軟化して押し潰すことなどにより、弾撥ばね９の抜け止めと脇への妄動止めとを施こす。
また、前記紙切り板６の開き角度がロール紙上方における所定開き角度（約３０度付近）で、図４のように上記弾撥ばね９の両端同士がが最も接近するように、前記各ピンと紙切り板回転枢軸５との位置を設定することで、紙切り板６が上記所定開き角度（約３０度付近）を境界角として、前記起伏二方向に前記弾撥ばね９の開き弾撥力で付勢して、図１、図２に示す紙切り板６の上開き状態と図４に示すロール紙弾圧状態とを一つの弾撥ばね９で選択的に維持可能に構成し、前記ロール紙ホルダ１を図２のようにトイレットの壁面ａなどにコンクリ針などの止め具で取付け固定して用いる。
【００１２】
なお、前記各図において、符号で２Ｃで示す部材は、側板２の外面に前記回動操作レバー８や弾撥ばね９を実装後、その外面を覆って目隠しするための浅皿形側板カバーであり、さらに空心受け３は、その基部３Ａで図１のように側板２に対し、その凹所２Ｄ内に横枢軸２Ｅ（図５参照）で枢支するとともに、水平復帰ばねとストッパ等からなる周知の対向復帰手段で、常には図１のように水平方向に向くようにし、ロール紙４をその空心４Ａで回転可能に枢支可能とする。
また、空心受け３をロール紙空心４Ａまたはロール紙４の上動で上記ばねの弾力に抗し上向きに回動させることで、ホルダ１から空になったロール紙巻胴を取出し、新しいロール紙４の空心４Ａを空心受け３の下部から上動させて空心受け３を上記のように傾動後、水平復帰させて枢支し、この枢支状態を前記ばね等による水平回動復帰手段で維持できるようにしてある。
【００１３】
本発明の構成は、以上のようなもので、以下にその使用動作例を説明する。
ロール紙４に中程度の切断力で切断できる極く普通のものを最終ユーザが使用するときは、先ず、回動操作レバー８を図１、図２のようにほぼ直立させさせた状態で上記回動操作レバー８の使用位置を前記各係止部２Ｂ・８Ｄの中央位置で上記各図のように固定する。
その後、使用者が紙切り板６を図１、図２の上開き状態から図３における上図のように所定開き角度（約３０度付近）まで前記弾撥ばね９の開き弾撥力に抗し手動で傾動すると今度は、紙切り板６が弾撥ばね９の固有弾撥力でロール紙４の上面に向かい自動的に伏せ動き、紙切り板前辺下面６Ａが図３における中間図のようにロール紙４の上部に弾接し、紙切り板６のロール紙弾圧状態となる。
次いで、使用者は、同図におけるロール紙４を手前に所望長さだけ引き出してロール紙繰り出し部４Ｂを作り、このロール紙繰り出し部４Ｂの基部を前記ロール紙弾圧力を利用して紙切り板前辺刃先６Ｂに対し上方斜めに強制的に折曲しつつ上動させることで、この刃先６Ｂでロール紙４をカットすることができる。
【００１４】
次に、ロール紙４に二枚合わせ、または厚手のロール紙のような外力に対し強く、カットしづらいロール紙４を最終ユーザが使用するときは、前記ロール紙カット時に強めの切断応力で紙切り板６の浮上を阻止するため、最終ユーザは、前記ほぼ直立状態の回動操作レバー８をその操作部３Ｃで図６のように右（手前）に傾け、回動操作レバー８のばね止めピン８Ｂを回動片７のばね止めピン７Ｂに近づけることで、弾撥ばね９の両端間隔を小さくし、弾撥ばね９の固有弾撥力を強めてロール紙４に対する紙切り板６の弾圧力を強める必要が有る。
【００１５】
このときには、図５における右図のように回動操作レバー８の操作部３Ｃを前記可撓部８Ｅの撓み弾力に抗し外向きに撓ませ、上記レバー８の係止部（係止孔）８Ｄを側板２の係止部（係止突起）２Ｂから抜去し、回動操作レバー８を図６のように手前（図では右）に弾撥ばね９の弾撥力に抗し傾け、上記係止部８Ｄの後孔（図では左孔）を側板２の係止部（突起）２Ｂに図５における左図のように差し換え、この差し換え使用位置を上記可撓部８Ｅの弾力復帰により確保し、上記ばね９の両端同士の接近状態を図６のように保持することで、弾撥ばね９の弾撥力を強めてロール紙４に対する紙切り板６の弾圧力を強めることができる。
【００１６】
したがって、前記のカットしづらいロール紙４でもその繰り出し部４Ｂの基部を最終ユーザは前記のように強くしたロール紙弾圧力を利用して紙切り板前辺刃先６Ｂを浮上させずにこの刃先６Ｂでカットして使用することができるとともに、ロール紙弾圧力が強くなっていても、この時の使用ロール紙４は上記のように外力に対し強く切断しづらいロール紙だから、その繰り出し部４Ｂを紙切り板前辺下面６Ａによる上記強めの弾圧力では千切らせずに繰り出すことができる。
【００１７】
また、これとは逆に、薄手一枚のロール紙のように切断し易いロール紙４を最終ユーザが使用するときは、ロール紙４の繰り出し時に、この繰り出し部４Ｂが紙切り板前辺下面６Ａによる弾圧力で千切れないようにするため、最終ユーザは、前記図２のようなほぼ直立状態の回動操作レバー８を図７のように左（後方）に傾け、回動操作レバー８のばね止めピン８Ｂを回動片７のばね止めピン７Ｂから遠ざけて弾撥ばね９の固有弾撥力を弱めることで、ロール紙４に対する紙切り板６の弾圧力を弱める必要が有る。
【００１８】
このときにも、前記のように回動操作レバー８の操作部３Ｃを前記可撓部８Ｅの撓み弾力に抗し、図５における右図のように外向きに撓ませて上記レバー８の係止部（係止孔）８Ｄを側板２の係止部２Ｂから抜去し、回動操作レバー８を図７のように後方（図では左）に傾け、その係止部８Ｄの前孔（図では右孔）を側板２の係止部（突起）２Ｂに図５における左図のように差し換え、この差し換え使用位置を上記可撓部８Ｅの弾力復帰により確保し、前記各ばね止めピン７Ｂ・８Ｂ同士を図７のように遠ざけた状態に保持することで、弾撥ばね９の固有弾撥力を弱めてロール紙４に対する紙切り板６の弾圧力を弱めることができる。
【００１９】
したがって、前記薄手一枚のロール紙のように切断し易いロール紙４でも、その繰り出し部４Ｂを最終ユーザは、前記のように弱く設定したロール紙弾圧力では千切らせずに繰り出すことができるとともに、ロール紙弾圧力が弱まっていても、ロール紙４は上記のように切断し易いので、紙切り板６を浮上させないで上記繰り出し部４Ｂの基部を前記刃先６Ｂでカットして使用することができる。
【００２０】
使用済となった空心４Ａは、図６および図７における各最下図ように、弾撥ばね９の固有弾撥力に抗して手動で紙切り板６を開いた後、巻胴４Ａを上動させることで、空心受け３をその水平復帰力に抗して上に傾動させて取外すことができ、新しいロール紙４を前述した通り、その巻胴４Ａでホルダ１に枢支セットし、紙切り板６を前記のように伏せてロール紙４の上部を弾圧することで、次の使用形態をを採ることができる。
なお、図６および図７における各最下図における紙切り板６を伏せたまま、ロール紙４またはその巻胴４Ａを空心受け３の水平復帰力と弾撥ばね９による紙切り板６の下動力との和の力に抗して一挙に上動させることで、前記した巻胴４Ａの取外しが実行でき、紙切り板６は前記上開き位置で弾撥ばね９の弾撥力により図２のように自動停止しているので、ロール紙４の交換セットが容易である。
【００２１】
【実施例】
前記回動操作レバー８の使用位置を可変設定するための機構としては、レバー８に形成した一つの係止部（係止突起または係止孔）８Ｄを前記側板２に形成した前後複数の係止部（係止孔または係止突起）２Ｂのいずれか一つに選択的に係合させることで、前記レバー８の使用位置を可変設定可能としてもよく、また回動操作レバー８における係止部８Ｄの下部に形成した可撓部８Ｅまたはレバー自体の撓み復帰弾力に抗してレバー８を撓ませ、その係止部８Ｄを側板２の係止部２Ｂに選択的に差し換え係合させ、この係合位置を上記撓み復帰弾力により確保可能にしてもよく、さらに回動操作レバー８や前記側板２に形成した周知のラチエット係止歯を用いてレバー８の使用位置を可変設定するようにしてもよい。
【００２２】
【発明の効果】
本発明は、以上のような形態を採用したので、以下に記載の効果を奏する。
本発明における請求項１から請求項４までの各発明によれば、平面ほぼコ字状のロール紙ホルダ１に回転枢軸５で起伏可能に後部を枢支した紙切り板６を所定開き角度を境界角として起伏二方向に付勢可能となしたロール紙ホルダを作るに当たり、前記回転枢軸５に紙切り板６と連動する回動片７を突設し、この回動片７の近くにおける前記側板２に使用位置を可変設定できる回動操作レバー８を枢支し、このレバー８と前記回動片７との間に弾撥ばね９をその固有弾撥力に抗して介在することで、この弾撥ばね９の固有弾撥力を前記回動操作レバー８の使用位置の変化に対応させて変化させることができるから、ロール紙に対する紙切り板の弾圧力を多種多様な使用ロール紙に即座に適応させて最終ユーザ自身が容易に設定変更でき、ユーザの多様な要望に即応できたという優れた効果が有る。
【００２３】
本発明における請求項５および請求項７の各発明では、前記諸効果に加え、前記回動操作レバー８の使用位置を可変設定するための機構として、前記回動操作レバー８に前後複数または一つの係止部（係止孔または係止突起）８Ｄを形成し、これを前記側板２に形成した一つまたは複数の係止部（係止突起または係止孔）２Ｂに選択的に係合させることで、前記回動操作レバー８の使用位置を可変設定できるので、上記係止機構を簡素化でき、しかも、ロール紙に対する紙切り板の弾圧力を多種多様なロール紙に適応させてユーザ自身が極めて簡単に設定変更できるという優れた効果を付加できた。
【００２４】
本発明における請求項６および請求項８の各発明によれば、前記諸効果に加え、前記回動操作レバー８の使用位置を可変設定するための機構として、前記回動操作レバー８の中間部分に形成した可撓部８Ｅからレバー８の上部を撓ませて前記回動操作レバー８の前後複数または一つの係止部（係止孔または係止突起）８Ｄを前記側板２に形成した一つまたは複数の係止部（係止突起または係止孔）２Ｂに選択的に係合させることで、前記回動操作レバー８の使用位置を可変設定可能となしたので、より一層簡単かつ、確実にロール紙に対する紙切り板の弾圧力を最終ユーザの要望に応じた多種多様なロール紙に適応させて使用の都度、設定変更することができるという優れた効果を付加できた。
【図面の簡単な説明】
【図１】本発明の実施形態の一例を示す要部切欠斜視図
【図２】本発明の実施形態の一例を示す要部切欠の側面図
【図３】本発明の使用形態の一例を示す要部切欠の側面図
【図４】本発明の実施形態の一例を示す要部切欠の分解斜視図
【図５】本発明における要部の一例を示す縦断立面図
【図６】本発明の使用形態の一例を示す要部切欠の側面図
【図７】図６に示すものと状態を異にした要部切欠の側面図
【符号の説明】
１…ロール紙ホルダ
２…ホルダ側板
２ａ…側板上孔
２Ａ…側板のヒンジ孔
２Ｂ…側板の係止部
３…空心受け
４…ロール紙
４Ａ…ロール紙空心
４Ｂ…ロール紙繰り出し部
５…回転枢軸
６…紙切り板
６Ａ…紙切り板の前辺下面
６Ｂ…紙切り板の前辺刃先６
７…回動片７
７Ｂ…回動片のばね止めピン
８…回動操作レバー
８ａ…レバーの枢支部
８Ａ…レバーの後片
８Ｂ…レバーのばね止めピン
８Ｃ…レバーの操作部
８Ｄ…レバーの係止部
８Ｅ…レバーの可撓部
９…ほぼΩ字状の弾撥ばね
【図１】
2004305301.tif 000003
【図２】
2004305301.tif 000004
【図３】
2004305301.tif 000005
【図４】
2004305301.tif 000006
【図５】
2004305301.tif 000007
【図６】
2004305301.tif 000008
【図７】
2004305301.tif 000009